(57)【要約】【課題】静特性の安定化を図ることができる比例弁のパイプ固定構造を提供する。【解決手段】プランジャ室２１内のパイプ２２を、先端側のフランジ部５１に設けられた切り起こし部５３が構成する付勢手段によって、基端がケースコア部１３端面にスペーサ６１を介して付勢して固定する。これにより、パイプ２２内のプランジャ２３の作動に伴うパイプ２２の移動を防止し、プランジャ２３とパイプ２２との摺動抵抗を全域に渡って一定に保つ。また、フランジ部５１の一部を切り起こすことによってパイプ２２の内部と外部とを連通する呼吸口７１を形成する。【選択図】図１
2008144838.tif 000002
【特許請求の範囲】
【請求項１】
プランジャ室に収容された筒状のパイプ内にプランジャが移動可能に設けられた比例弁のパイプ固定構造において、
前記パイプの一端側に、当該パイプを前記プランジャ室の一端側から他端側へ向けて付勢して当該パイプの他端を前記プランジャ室の壁面に付勢する付勢手段を当該パイプの一端側に設けるとともに、該付勢手段が設けられた前記パイプの一端側に当該パイプの内部と外部とを連通する呼吸口を設けたことを特徴とする比例弁のパイプ固定構造。
【請求項２】
前記パイプの一端側に側方へ延出するフランジ部を設けるとともに、該フランジ部の一部を前記プランジャ室の壁面側へ切り起こして前記付勢手段及び前記呼吸口を設けたことを特徴とする請求項１記載の比例弁のパイプ固定構造。
【請求項３】
前記パイプの一端と、当該一端が対向する前記プランジャ室の壁面との間にウェーブワッシャを配設して前記付勢手段及び前記呼吸口を設けたことを特徴とする請求項１記載の比例弁のパイプ固定構造。
【発明の詳細な説明】
【技術分野】
【０００１】
本発明は、例えば圧力を制御する比例弁のパイプ固定構造に関する。
【背景技術】
【０００２】
従来、油圧を制御する際には、図３に示すような比例弁８０１が使用されていた。
【０００３】
この比例弁８０１では、ソレノイド８０２を通電すると、その電流値に応じた磁気吸引力が発生し、この磁気吸引力によってソレノイド８０２内部のプランジャ８０３が吸引される。これにより、前記プランジャ８０３は、スプリング力Ｆｓｐｒと釣り合う位置に制御されるように構成されている。
【０００４】
そして、前記プランジャ８０３の移動によってポペット８１１も移動し、パイロット圧Ｐｐが制御されることにより、パイロット圧Ｐｐ・フィードバック圧Ｐｆ・スプリング力Ｆｓｐｒとが釣り合う位置にスプール８１２が制御される。
【発明の開示】
【発明が解決しようとする課題】
【０００５】
しかしながら、このような比例弁８０１にあっては、プランジャ室８２１内の前記プランジャ８０３が移動する際に該プランジャ８０３を包囲する筒状のパイプ８２２も移動することとなるが、例えば前記パイプ８２２がプランジャ室８２１の壁面を構成するコア８２３端面に当接して停止した時点からは、プランジャ８０３のみが移動することになる。
【０００６】
このとき、このプランジャ８０３と前記パイプ８２２との摺動抵抗が変化することによって、力のバランスが崩れ、静特性上、階段波形が発生してしまう。
【０００７】
本発明は、このような従来の課題に鑑みてなされたものであり、静特性の安定化を図ることができる比例弁のパイプ固定構造を提供することを目的とするものである。
【課題を解決するための手段】
【０００８】
前記課題を解決するために本発明の請求項１の比例弁のパイプ固定構造にあっては、プランジャ室に収容された筒状のパイプ内にプランジャが移動可能に設けられた比例弁のパイプ固定構造において、前記パイプの一端側に、当該パイプを前記プランジャ室の一端側から他端側へ向けて付勢して当該パイプの他端を前記プランジャ室の壁面に付勢する付勢手段を当該パイプの一端側に設けるとともに、該付勢手段が設けられた前記パイプの一端側に当該パイプの内部と外部とを連通する呼吸口を設けた。
【０００９】
すなわち、プランジャ室内のパイプは、一端側に設けられた付勢手段によって他端が前記プランジャ室の壁面に付勢され固定されている。このため、当該パイプ内のプランジャが作動した場合には、前記プランジャの移動に伴う前記パイプの移動が防止される。
【００１０】
そして、前記付勢手段が設けられた前記パイプの一端側には、当該パイプの内部と外部とを連通する呼吸口が設けられている。このため、前記プランジャの移動に伴って前記パイプ内に容積変化が生じた際には、当該パイプ内の圧力が前記呼吸口を介して出入りする。
【００１１】
また、請求項２の比例弁のパイプ固定構造においては、前記パイプの一端側に側方へ延出するフランジ部を設けるとともに、該フランジ部の一部を前記プランジャ室の壁面側へ切り起こして前記付勢手段及び前記呼吸口を設けた。
【００１２】
すなわち、前記パイプの一端側に設けられたフランジ部の一部を前記プランジャ室の壁面側へ切り起こすことによって、この切り起こし部の変形時の反発力を利用することで、前記パイプの他端を前記プランジャ室の壁面に付勢することができる。
【００１３】
また、前記フランジ部の一部を切り起こすことによって、前記パイプの内部と外部とを連通する呼吸口を形成することができる。
【００１４】
さらに、請求項３の比例弁のパイプ固定構造においては、前記パイプの一端と、当該一端が対向する前記プランジャ室の壁面との間にウェーブワッシャを配設して前記付勢手段及び前記呼吸口を設けた。
【００１５】
すなわち、前記パイプの一端と、当該一端が対向する前記プランジャ室の壁面との間にウェーブワッシャを配設することにより、ウェーブワッシャ変形時の反発力を利用して、前記パイプの他端を前記プランジャ室の壁面に付勢することができる。
【００１６】
また、前記ウェーブワッシャは、波形形状に形成されていることから、前記パイプの一端と当該一端が対向する前記プランジャ室の壁面との間に、前記パイプの内部と外部とを連通する呼吸口を形成することができる。
【発明の効果】
【００１７】
以上説明したように本発明の比例弁のパイプ固定構造にあっては、前記パイプの一端側に設けられた付勢手段によって当該パイプの他端を前記プランジャ室の壁面に付勢した状態で固定することができる。
【００１８】
このため、当該パイプ内のプランジャが作動した場合であっても、前記プランジャの移動に伴う前記パイプの移動を防止することができる。これにより、前記プランジャ移動時において、該プランジャと前記パイプとの摺動抵抗を全域に渡って一定に保つことができる。
【００１９】
したがって、静特性上の階段波形の発生を防止することができ、安定した出力特性を得ることができる。
【００２０】
そして、前記付勢手段が設けられた前記パイプの一端側には、当該パイプの内部と外部とを連通する呼吸口が設けられており、前記プランジャの移動に伴って前記パイプ内に生じた容積変化による圧力を前記呼吸口から逃がすことができる。
【００２１】
また、請求項２の比例弁のパイプ固定構造においては、前記パイプの一端側に設けられたフランジ部の一部を前記プランジャ室の壁面側へ切り起こすことによって、前記パイプの他端を前記プランジャ室の壁面に付勢する前記付勢手段と、前記パイプの内部と外部とを連通する呼吸口とを形成することができる。
【００２２】
さらに、請求項３の比例弁のパイプ固定構造においては、前記パイプの一端と前記プランジャ室の壁面との間にウェーブワッシャを配設することにより、前記パイプの他端を前記プランジャ室の壁面に付勢する前記付勢手段と、前記パイプの内部と外部とを連通する呼吸口とを形成することができる。
【発明を実施するための最良の形態】
【００２３】
（第１の実施の形態）
【００２４】
以下、本発明の第１の実施の形態を図面に従って説明する。図１は、本実施の形態にかかる比例弁１を示す図である。この比例弁１は、油圧回路に設けられ、油圧を制御するものである。
【００２５】
この比例弁１のケース１１内には、ソレノイド１２が収容されており、当該ケース１１には、前記ソレノイド１２の後端部より挿入されるケースコア部１３が一体形成されている。また、前記ソレノイド１２の先端側には、ヨーク１４が挿入されており、該ヨーク１４は、端部が前記ケース１１より延出したプレート１５によって支持されている。
【００２６】
前記ソレノイド１２の内側であって前記プレート１５と前記ケースコア部１３との間には、プランジャ室２１が形成されており、該プランジャ室２１には、円筒状のパイプ２２が内嵌されている。該パイプ２２の内側には、プランジャ２３が軸方向へ移動自在に収容されており、該プランジャ２３の基端には、基端側座繰り穴２４が設けられている。該基端側座繰り穴２４には、基端側スプリング２５の先端部が収容されており、該基端側スプリング２５の基端は、前記ケースコア部１３に固定されたストッパ２６に支持されている。
【００２７】
これにより、前記プランジャ２３は、前記基端側スプリング２５によって先端方向へ付勢されており、ソレノイド１２通電時には、前記ケースコア部１３に吸引されることによって基端側へ移動できるように構成されている。
【００２８】
前記プレート１５と前記ケース１１先端部のカシメ部３１との間には、ノズル３２の鍔部３３が固定されており、前記ノズル３２内には、スプール３４が軸方向へ移動自在に収容されている。このノズル３２の基端部には、弁座部３５が内嵌されており、該弁座部３５と前記プレート１５との間には、前記弁座部３５に形成された連通孔３６を開閉するポペット弁３７が収容されている。
【００２９】
該ポペット弁３７の後端には、座繰り穴４１が設けられており、該座繰り穴４１には、先端側スプリング４２の先端部が収容されている。この先端側スプリング４２の後端部は、前記プランジャ２３に形成された先端側座繰り穴４３に収容されており、当該プランジャ２３の動作に応じて前記ポペット弁３７が前記弁座部３５の前記連通孔３６を開閉することで、前記パイロット圧Ｐｐを可変して前記スプール３４を軸方向へ作動できるように構成されている。
【００３０】
一方、前記プランジャ室２１に内嵌した前記パイプ２２の先端には、側方へ延出するフランジ部５１が全周に渡って一体形成されており、このフランジ部５１は、前記ヨーク１４の内側面に形成された凹部５２内で前記プランジャ２３の移動方向へ移動可能に収容されている。このフランジ部５１は、複数箇所が部分的に切り起こされており、当該フランジ部５１には、前記プランジャ室２１の壁面を構成する前記プレート１５側に傾斜した切り起こし部５３，・・・が複数箇所に形成されている。
【００３１】
このパイプ２２は、前記切り起こし部５３，・・・を弾性変形させた状態で前記プランジャ室２１に収容されており、変形状態にある前記切り起こし部５３，・・・の反力によって当該パイプ２２は、前記プランジャ室２１の先端側から基端側へ向けて付勢されている。これにより、前記切り起こし部５３，・・・は、当該パイプ２２の基端を前記プランジャ室２１の壁面を構成する前記ケースコア部１３端面にスペーサ６１を介して付勢する付勢手段を構成している。
【００３２】
また、前記フランジ部５１には、前記切り起こし部５３，・・・が切り起こされた部分に切欠部が設けられており、当該フランジ部５１は、前記切り起こし部５３，・・・によって前記プレート１５から離間した状態に保たれている。これにより、前記パイプ２２の先端側には、当該パイプ２２の内部と外部とを連通する呼吸口７１が前記切欠部によって形成されており、この切欠部が開口した前記凹部５２は、前記ヨーク１４端面の溝によって形成された連通路７２を介して、前記ケース１１の外部に連通するように構成されている。
【００３３】
以上の構成にかかる本実施の形態にあっては、前記プランジャ室２１内の前記パイプ２２は、先端側に設けられた前記切り起こし部５３が構成する付勢手段によって、基端が前記プランジャ室２１の壁面を構成する前記ケースコア部１３端面にスペーサ６１を介して付勢され固定されている。
【００３４】
このため、当該パイプ２２内の前記プランジャ２３が軸方向に作動した場合には、前記プランジャ２３の移動に伴う前記パイプ２２の移動を防止することができる。これにより、前記プランジャ２３移動時において、該プランジャ２３と前記パイプ２２との摺動抵抗を全域に渡って一定に保つことができる。
【００３５】
したがって、静特性上の階段波形の発生を防止することができ、安定した出力特性を得ることができる。
【００３６】
そして、前記付勢手段が設けられた前記パイプ２２の先端側には、当該パイプ２２の内部と外部とを連通する呼吸口７１が設けられている。このため、前記プランジャ２３の移動に伴って前記パイプ２２内に容積変化が生じた際には、その容積変化による圧力を前記呼吸口７１を介して外部に逃がすことができる。
【００３７】
これにより、前記プランジャ２３の応答性を維持することができる。
【００３８】
そして、本実施の形態では、前記パイプ２２の先端側に設けられた前記フランジ部５１の一部を前記プランジャ室２１先端側の壁面へ切り起こすことによって、この切り起こし部５３の変形時の反発力を利用することで、前記パイプ２２の基端を前記プランジャ室２１基端側の壁面に付勢することができる。
【００３９】
また、前記フランジ部５１の一部を切り起こすことによって、前記パイプ２２の内部と外部とを連通する呼吸口７１を形成することができる。
【００４０】
これにより、当該パイプ２２の基端を前記プランジャ室２１基端側の壁面に付勢する前記付勢手段と、当該パイプ２２の内部と外部とを連通する前記呼吸口７１とを構成することができる。
【００４１】
（第２の実施の形態）
【００４２】
図２は、第２の実施の形態を示す図であり、第１の実施の形態と同一又は同等部分に付いては、同符号を付して説明を割愛するとともに、異なる部分に付いてのみ説明する。
【００４３】
すなわち、前記プランジャ室２１に内嵌された前記パイプ２２の先端には、側方へ延出するフランジ部５１が全周に渡って一体形成されており、該フランジ部５１は、前記ヨーク１４の内側面に形成された凹部５２内で前記プランジャ２３の移動方向へ移動可能に収容されている。このフランジ部５１は、第１の実施の形態で形成された切り起こし部が無く、平坦に形成されている。
【００４４】
一方、前記パイプ２２先端の前記フランジ部５１と、該フランジ部５１が対向する前記プランジャ室２１先端側の壁面を構成する前記プレート１５との間には、ウェーブワッシャ１０１が配設されている。該ウェーブワッシャ１０１は、リング板状の部材が波打つような波形状に加工されており、当該ウェーブワッシャ１０１は、厚み方向に弾性変形された状態で前記プレート１５と前記パイプ２２との間に配設されている。
【００４５】
この変形状態の前記ウェーブワッシャ１０１の反力によって前記パイプ２２は、前記プランジャ室２１の先端側から基端側へ向けて付勢されており、前記ウェーブワッシャ１０１は、前記パイプ２２の基端を前記プランジャ室２１の壁面を構成する前記ケースコア部１３端面にスペーサ６１を介して付勢する付勢手段を構成している。
【００４６】
また、前記ウェーブワッシャ１０１によって前記フランジ部５１は、前記プレート１５から離間した状態に保たれており、前記フランジ部５１と前記プレート１５との間には、波形を成す前記ウェーブワッシャ１０１によって、当該ウェーブワッシャ１０１の中央穴と外周部の前記凹部５２とを連通する間隙が形成されている。
【００４７】
これにより、前記パイプ２２の先端側には、パイプ２２の内部と外部とを連通する呼吸口７１が前記ウェーブワッシャ１０１が形成する間隙によって形成されており、この間隙が開口した前記凹部５２は、前記ヨーク１４端面の溝によって形成された連通路７２を介して、前記ケース１１の外部に連通するように構成されている。
【００４８】
以上の構成にかかる本実施の形態にあっては、前記プランジャ室２１内の前記パイプ２２は、先端側に設けられた前記ウェーブワッシャ１０１が構成する付勢手段によって、基端が前記プランジャ室２１の壁面を構成する前記ケースコア部１３端面にスペーサ６１を介して付勢され固定されている。
【００４９】
このため、当該パイプ２２内の前記プランジャ２３が軸方向に作動した場合には、前記プランジャ２３の移動に伴う前記パイプ２２の移動を防止することができる。これにより、前記プランジャ２３移動時において、該プランジャ２３と前記パイプ２２との摺動抵抗を全域に渡って一定に保つことができる。
【００５０】
したがって、静特性上の階段波形の発生を防止することができ、安定した出力特性を得ることができる。
【００５１】
そして、前記付勢手段が設けられた前記パイプ２２の先端側には、当該パイプ２２の内部と外部とを連通する呼吸口７１が設けられている。このため、前記プランジャ２３の移動に伴って前記パイプ２２内に容積変化が生じた際には、その容積変化による圧力を前記呼吸口７１を介して外部に逃がすことができる。
【００５２】
これにより、前記プランジャ２３の応答性を維持することができる。
【００５３】
そして、本実施の形態では、前記パイプ２２先端の前記フランジ部５１と、当該フランジ部５１が対向する前記プランジャ室２１先端側の壁面との間にウェーブワッシャ１０１を配設することにより、該ウェーブワッシャ１０１変形時の反発力を利用して、前記パイプ２２の基端を前記プランジャ室２１基端側の壁面に付勢することができる。
【００５４】
また、前記ウェーブワッシャ１０１は、波形形状に形成されていることから、前記パイプ２２先端の前記フランジ部５１と当該フランジ部５１が対向する前記プランジャ室２１先端側の壁面との間に、前記パイプ２２の内部と外部とを連通する呼吸口７１を形成することができる。
【００５５】
これにより、当該パイプ２２の基端を前記プランジャ室２１基端側の壁面に付勢する前記付勢手段と、当該パイプ２２の内部と外部とを連通する前記呼吸口７１とを構成することができる。
【図面の簡単な説明】
【００５６】
【図１】本発明の第１の実施の形態を示す断面図ある。
【図２】本発明の第２の実施の形態を示す断面図ある。
【図３】従来の比例弁を示す断面図である。
【符号の説明】
【００５７】
１    比例弁
２１    プランジャ室
２２    パイプ
２３    プランジャ
５１    フランジ部
５３    切り起こし部
７１    呼吸口
１０１    ウェーブワッシャ
【図１】
2008144838.tif 000003
【図２】
2008144838.tif 000004
【図３】
2008144838.tif 000005